(57)【要約】【課題】ユーザの要求に適合する複数の情報群を、中継装置から一度に取得した後、これをユーザに対して利用しやすく整理した形で提供する端末装置である。【解決手段】中継装置３から提供された情報群を一度に保持する提供情報保持手段１１と、該提供情報保持手段１１に保持されたこれらの情報群を読み出して、各提供情報対応に、各該提供情報を表すランドマークＬと、各該提供情報が示すコメントエリアＣの少なくとも一方を、ディスプレイ１４上に表示する提供情報表示手段１２と、を備える。【選択図】      図２
2004362136.tif 000002
【特許請求の範囲】
【請求項１】
無線通信により外部から提供される地図および地点に関連する地点関連情報を取得する通信手段と、該通信手段により取得した前記地図および地点関連情報を記憶する記憶手段と、前記地図および地点関連情報を表示するディスプレイと、を備えた端末装置であって、
前記記憶手段に記憶された前記地図および地点関連情報を読み出して、該読み出した地図上に、前記地点関連情報に含まれるランドマークを重畳し、前記ディスプレイに表示させると共に、前記地点関連情報に含まれる文字情報を前記ディスプレイの所定エリアに表示させる制御手段と、
を備えることを特徴とする端末装置。
【請求項２】
前記地点関連情報は、施設情報と、他端末装置から提供される提供情報と、グループを構成する複数のユーザが共有するグループ情報のうちの少なくとも１つを含むことを特徴とする請求項１に記載の端末装置。
【請求項３】
前記制御手段は、自己の現在位置と前記ランドマークに示される地点との位置関係を、前記ディスプレイの所定エリアに表示することを特徴とする請求項１または２に記載の端末装置。
【請求項４】
前記制御手段は、前記位置関係を自己からの方角と距離をもって表示することを特徴とする請求項３に記載の端末装置。
【請求項５】
前記地点関連情報に緯度経度情報が含まれ、自己の現在位置情報と前記緯度経度情報とを元に、前記の方角と距離を算出して表示することを特徴とする請求項４に記載の端末装置。
【請求項６】
前記制御手段は、前記グループ情報をなす当該グループ内ユーザからのコメントを、前記所定エリアに表示することを特徴とする請求項２に記載の端末装置。
【請求項７】
前記制御手段は、前記ディスプレイに表示されたランドマークのうち、選択されたランドマークに対応する前記グループ内ユーザの前記コメントを表示することを特徴とする請求項６に記載の端末装置。
【請求項８】
前記制御手段は、前記ランドマークに対応する前記文字情報を順次前記所定エリアに表示することを特徴とする請求項１に記載の端末装置。
【請求項９】
前記制御手段は、前記文字情報を前記所定エリア内にてスクロール表示させることを特徴とする請求項８に記載の端末装置。
【発明の詳細な説明】
【０００１】
【発明の属する技術分野】
本発明は情報提供システム、例えばマルチメディア情報やカー・ナビゲーションにおける地図情報などを提供するための情報提供システムを構成する端末装置に関する。
【０００２】
【従来の技術】
本発明はカー・ナビゲーションのような車載端末装置を介在させる情報提供システムに限定することなく、例えば家庭内に設置したパソコンを介在させる情報提供システムにも適用することが可能であるが、ここでは主として上記のカー・ナビゲーションを例にとって説明を始める。
【０００３】
例えば従来のカー・ナビゲーション・システムのような、車両用の情報提供システムは、車両に搭載されたＣＤ−ＲＯＭやＤＶＤに、予め道路や地形等の地図情報を保持しておき、当該車両が自車内に保持した上記地図情報を読み出してディスプレイ上に表示した地図データ上に、自車位置をマークしていく、という構成のシステムであった。
【０００４】
ところがその後、移動体通信網を使用した携帯電話が急速に普及したことから、上記地図情報のデータを自車内で保持するのではなく、上記移動体通信網およびＩＰ（Ｉｎｔｅｒｎｅｔ  Ｐｒｏｔｏｃｏｌ  ）網を介して、ナビゲーション情報を保有するサーバ装置から該情報を当該車両にダウンロードする、という通信型のカー・ナビゲーション・システムが主流になりつつある。
【０００５】
上記の通信型カー・ナビゲーション・システムによれば、膨大な上記地図情報のデータをそれぞれの車載端末で保持する必要がなくなるので、その分、ＤＶＤ等の記録媒体の設置スペースや設置コストが不要になる、という利点がもたらされる。
【０００６】
さらに、上記サーバ装置では、常に最新の情報に更新することが容易であるから、例えば車の渋滞情報や各種イベント情報等、リアルタイム性が必須となる情報をオンラインで各車両ユーザに提供できる、といった利点ももたらされる。
【０００７】
このような最近の通信型カー・ナビゲーション・システムに関する公知文献としては、一例として下記の特許文献がある。
【０００８】
【特許文献１】
特開２００２−１０７１６９号公報
【０００９】
【発明が解決しようとする課題】
この特許文献１においても共通に課題としているように、各車載端末とサーバ装置との間でかなりの回数の対話形式による通信のやりとりが必要である。
【００１０】
そこでこの特許文献１においては、通信量削減のための工夫をすると共に、専用のナビゲーションサーバ、すなわち専用サーバを導入して、地図情報や地点情報（ＰＯＩ）を、各車両ユーザの要求に合わせて送信するという構成をとっている。
【００１１】
ところがこの特許文献１においては、次の２つの問題点を有している。
【００１２】
（１）第１の問題点は、地図ＤＢやＰＯＩ等を含んだ上記の専用サーバを構築していることに見出すことができる。したがって、地図ＤＢやＰＯＩ情報を必要とする分、費用がかかってしまう。
【００１３】
もしそのような専用サーバを構築しないとすると、複数の汎用サーバから、個々の通信により、所要の各種ナビゲーション情報を取り込まなければならない。すなわち、車載端末と、複数の汎用サーバの１つ１つとの間で個別に通信をしなければならない。そうすると、その１つ１つの個別通信の回数分だけ通信費用が増大してしまう。また当然その通信の回数分だけユーザによる通信操作の回数が増えるから、安全運転という観点から好ましくない。
【００１４】
結局、複数の汎用サーバとの間で１つ１つ個別に通信を行うため、通信費用が増大してしまう、という問題が内在することになる。
【００１５】
（２）第２の問題点は、余計なデータも一緒に取り込まれてしまうことである。
【００１６】
車載端末が、上記の複数の汎用サーバから各種ナビゲーション情報を取り込もうとすると、当該車載端末にとって直接必要のないデータまで一緒に取り込まれてしまう。直接必要のないデータとは、例えばＰＣ向け等の詳細なデータである。
【００１７】
結局、車載端末はナビゲーションとは直接関係のないデータ量、つまり余計なデータ量までも通信してしまう分、通信費用が増大してしまう、という問題がある。
【００１８】
また、車両走行中に、このようなデータの取得のための操作を行ったり、表示された情報を見ることに集中してしまい、運転操作に支障を招くおそれがある。このような問題を解決するためには使用状況に応じた使用環境を提供する必要がある。
【００１９】
したがって本発明は、複数の汎用サーバの１つ１つと通信することに起因して、また、余計なデータ量が加わることに起因して増大する通信費用を抑えることのできる情報提供システムにおける端末装置であって、かつ、ユーザに対して利便性の高い使用環境を提供することのできる端末装置を実現することを目的とするものである。
【００２０】
【課題を解決するための手段】
図１は本発明の前提となる情報提供システムの全体を示す図である。
【００２１】
本図において、本発明の前提となる情報提供システムは参照番号１で表され、該システム１は、ユーザの要求に応じた表示対象要求情報Ｉ１を送信する端末装置２と、この表示対象要求情報Ｉ１を受信してこれに該当する情報群を収集し（必要に応じてさらに加工し）表示対象応答情報Ｉ２として端末装置２に提供する中継装置３と、を含んで構成される。ここに中継装置３は各種のサーバ４と連携可能であって、これらサーバ４にそれぞれ備えられる情報データベース（ＤＢ）より、表示対象要求情報Ｉ１に示された要求に適合する情報群を収集する。必要に応じてさらに加工する。
【００２２】
したがって、表示対象応答情報Ｉ２は、当該要求に関連する複数の情報群を含んでおり、端末装置２は一度にまとめて所望の情報群だけを取得することができる。
【００２３】
この結果、上記情報提供システム１によれば、通信費用が増大するという前述した第１の問題点と、余計なデータも一緒に取り込まれてしまうという前述した第２の問題点とを、同時に解決することができる。本発明はこのような情報提供システム１における特に端末装置２について言及するものである。
【００２４】
かくして、この端末装置２にとってみると、上記の問題点を回避しつつ、要求（Ｉ１）した所望の情報群（Ｉ２）を全て取得したことになる。ところが、その所望の全ての情報（Ｉ２）が取得できても、これをユーザにとって利便性の高い整理した形で提供できなければ、情報提供システム１としては本来の目的を十分果たしたとは言えない。そこで本発明では次の図２に示すように端末装置２を構成する。
【００２５】
図２は本発明に基づく端末装置２の基本構成を示す図である。
【００２６】
本図において、端末装置２は、少なくとも提供情報保持手段１１と提供情報表示手段１２とを含む。
【００２７】
提供情報保持手段１１は提供された表示対象応答情報Ｉ２に含まれる前述の情報群を保持するものである。
【００２８】
また、提供情報表示手段１２は、提供情報保持手段１１に保持された提供情報群を読み出して、各提供情報対応にこれら提供情報の各々を表すランドマークと、これら提供情報の各々が示すコメントエリアおよび案内表示エリアを、ディスプレイ１４上に表示するものである。なお、演算手段１３については後述する。
【００２９】
このような構成により、中継装置３において収集／加工された情報群を、端末装置２において一度にまとめて情報保持手段１１において蓄積したあと、これら情報群を、ユーザが一見して把握できるように、提供情報表示手段１２において整理し、ディスプレイ１４上に表示する。なおその表示の一例については、図３に示す。
【００３０】
【発明の実施の形態】
図３はディスプレイ上における本発明に基づく一表示例を示す図である。
【００３１】
ディスプレイ４上には上述したランドマークおよびコメントエリアと案内表示エリアが表示されるが、これらはそれぞれ本図においてＬおよびＣと、Ａとして示される。
【００３２】
これらランドマークＬおよびコメントエリアＣと、案内表示エリアＡの情報元となる既述の提供情報としては、具体的に、（ｉ）施設情報と、（ｉｉ）グループを構成する複数のユーザが共有するグループ情報の少なくとも一方を含む。
【００３３】
（ｉ）施設情報は、コンビニ、レストラン、デパート、公園、学校、病院等々の固定的な表示対象に関する情報であり、また、
（ｉｉ）グループ情報は、複数のユーザがそれぞれの車を運転しつつ、１つのグループを作って例えばドライブに出掛けたような場合に、これらユーザ間で共有するための情報である。したがってこのグループ情報は、上記の固定的な表示対象に関する情報とは対称的に、動的な表示対象に関する情報である。
【００３４】
なおこのグループ情報は、当該グループ内の全ユーザがそれぞれの端末装置２から、例えば定期的に、中継装置３にアップロードするものとし、これを例えばサーバ４（“３”）の一般情報ＤＢ（図１）に格納する。このグループ情報を介して、お互いの車両の現在地を確認し合ったり、例えば全員で昼食するための集合場所を確認し合ったり等々、いろいろなコミュニケーションを実現することができる。
【００３５】
図３において、ランドマークＬは、一例として、ユーザからの要求（Ｉ１）に応じこれに適合する複数件分の施設情報（コンビニ店）を情報（Ｉ２）として中継装置３から提供されたものであり、そのうちの例えば５件に対し数字“１”、“２”、“３”、“４”および“５”を付して区別し、地図データの地図上に表示する。
【００３６】
またこのランドマークＬ（“１”〜“５”）は、前述したグループ情報の場合ならば、一度に例えば５台分の各グループ内ユーザの車両の現在地を、示すことになる。なお、５台としたり、５件としたのは一例であり、表示数は任意に増減してもよい。なお、地図データはディスプレイ１４の表示エリアよりも大きく、地図をスクロールさせることで、その全てをディスプレイ１４に表示することができる。
【００３７】
次に図３のコメントエリアＣおよび案内表示エリアＡについて説明すると、このコメントエリアＣには、上記ランドマーク対応に種々のコメント情報を表示することができ、案内表示エリアＡには上記ランドマーク対応に端末装置２（車両）からの「方角」と「距離」を表示することができる。本図ではそのコメント情報の一例として、「コンビニ○○○店」について、端末装置２からの「方向（↑）と距離」をも表している。
【００３８】
コメントエリアＣには、前述した「固定的な表示対象に関する情報」（上記のコンビニ○○○店等）のみならず、前述した「動的な表示対象に関する情報」も表示することができる。この後者の動的な情報は、上記のグループ情報である。この場合には、コメントエリアＣ内に、当該グループ内ユーザのうちの発信元ユーザを特定するための「ニックネーム」を、図３に「コンビニ○○○店」と表示した部分に、記載しさらに、これに続けてその発信元ユーザからの「メッセージ」を記述することができる。
【００３９】
一方、当該グループ内の他のユーザがそれぞれの端末装置２から中継装置３に対してアクセスし、当該グループ情報のダウンロードを要求（Ｉ１）すれば、上述した「ニックネーム」＋「メッセージ」も含めた内容（Ｉ２）が、ディスプレイ１４上に表示される。
【００４０】
ここで要約すると、提供情報表示手段１２は、提供情報群の各々を、それぞれに対応する数字等のキャラクタを付すことにより区別して、ディスプレイ１４上に表示することができる。このキャラクタとして、上記の例では、“１”、“２”、“３”・・・を示したが、“イ”、“ロ”、“ハ”・・・でも、“ａ”、“ｂ”、“ｃ”・・・でもよい。
【００４１】
また提供情報表示手段１２は、中継装置３が収集したグループ情報をなす当該グループ内ユーザからのコメントを、コメントエリアＣに表示することができる。このコメントは、好ましくは、「ニックネーム」＋「メッセージ」である。
【００４２】
この場合、提供情報表示手段１２は、コメントエリアＣを、ディスプレイ１４上の対応するランドマークになるべく近接して表示するのが好ましい。
【００４３】
次に、このランドマークを示す他の例を図４に示す。
【００４４】
図４は本発明に基づくランドマークの他の表示例を示す図である。ここに示すランドマークは、上述したグループ内ユーザの車両の現在地を、各車両対応に“１”、“２”、“３”、“４”および“５”を付して示す。ただし、一度に５台の車両を表示する例で示す。仮に全車両が１０台であったとすれば、５台ずつを２回に分けて表示すればよい。このことは施設情報についても同様であって、関連する施設、例えば所望のレストランが１０候補あったとすると、５レストランずつ２回に分けてディスプレイ１４上に表示すればよい。
【００４５】
ここで上記のランドマークＬおよびコメントエリアＣと、案内表示エリアＡの有効な活用の仕方について述べると、その代表例は、相互の「位置関係」をユーザに提供することである。
【００４６】
この「位置関係としては、（ｉ）施設情報に係るランドマークＬで示される施設と自己との「位置関係」と、（ｉｉ）グループ情報に係るランドマークＬで示される各ユーザの車両と自己との「位置関係」とがある。ディスプレイ１４上には、これらの位置関係の少なくとも一方の位置関係を、コメントエリアＣおよび案内表示エリアＡにおいて表示するようにする。ドライブ中に、目的とする複数の施設がそれぞれ自車に対してどの方角でかつどの位の距離にあるかといったことを知り、同様に、グループ内の仲間達の車がそれぞれ自車に対しどの方向にあってどの辺を走行中なのかを知りたいといった要求に迅速に応答する上で、コメントエリアＣと案内表示エリアＡは重要な役割を果たす。
【００４７】
すなわち、コメントエリアＣと案内表示エリアＡにおいて、施設情報ならば上記の「位置関係」（ｉ）を、施設との「方角と距離」をもって表示し、また、グループ情報ならば上記の「位置関係」（ｉｉ）を、車両との「方角と距離」をもって表示するようにする。前者（ｉ）の場合の具体例は、既に図３における、ディスプレイ１４上のコメントエリアＣおよび案内表示エリアＡとして示したとおりである。
【００４８】
このような「方角と距離」の表示は、次のようにして行う。上記の施設情報には各施設についての緯度経度情報を含むようにし、また、上記のグループ情報には各車両についての緯度経度情報を含むようにする。そして演算手段を導入し、該演算手段によって、自己の現在位置情報と上記緯度経度情報とを元に、上記の「方角と距離」を算出しその算出結果を案内表示エリアＡに表示する。この場合の演算手段は、図２において参照番号１３として示したとおりである。なお、上記の緯度経度情報は、中継装置３から与えられるようにし、一方、自己の現在位置情報は自車に備え付けのＧＰＳ装置から得るようにする。したがって上記の「距離」は直線距離である。また上記の「方角」は８方向で表示できるようにする。すなわち、東、西、南、北、北東、北西、南東および南西である。
【００４９】
かくして提供情報表示手段１２は、施設情報をも、コメントエリアＣに表示する。なお、コメントエリアＣに対応する施設が、ディスプレイ１４上に表示されていなければ、端末装置（自車）２と当該施設がディスプレイ１４に表示されるようにする。
【００５０】
このような施設情報に関して、「方角と距離」を表示する場合には、上記演算手段１３は、当該施設の緯度経度情報について中継装置３から提供され情報保持手段１１に保持された情報をそのまま固定的に入力をすればよい。
【００５１】
しかし上記のグループ情報に関しては、演算手段１３は、各車両の緯度経度情報について、時間と共に更新される該緯度経度情報を入力とすることを要する。車両は時々刻々その位置を変えるからである。したがって車両の緯度経度情報を演算手段１３に入力する場合は、その都度表示対象応答情報Ｉ２のダウンロードをしておくことを要する。
【００５２】
以上述べたように、端末装置２には、中継装置３から一度に複数のランドマークが提供され、また、これらランドマークの区分としては、施設情報関連のランドマーク群とグループ情報関連のランドマーク群の区別があり、さらには、施設情報関連の各ランドマークとグループ情報関連の各ランドマーク対応のコメントを表示するコメントエリアと方角と距離を表示する案内表示エリアとがある。
【００５３】
したがって、ユーザからは簡単な操作で所望の情報を選択できるようにしておくことが必要である。
【００５４】
例えばもう一度図３を参照すると、この例では、コメントエリアＣに施設に関する情報（コンビニ○○○店）が表示されている。このとき、グループ内のあるユーザがこのグループ内の他のユーザの状況を急に知りたいと思ったとする。
【００５５】
このような状況になったときのために本発明では、図３のコメントエリアＣの右下に示す「グループ」なるボタン（ｇ）を備える。上記前者のユーザはそのときボタン「グループ」を押す。そうすると、ディスプレイ１４の画面は瞬時に、上記後者の他のユーザに関するコメントに切り換わる。これを次に図で示す。
【００５６】
図５は図３のコメントエリアが他のコメントエリアに切り換わる一例を示す図である。
【００５７】
本図は図３からの遷移後のディスプレイ１４の表示状態であり、直前までの表示「コンビニ○○○店」（図３）は、グループ情報である上記他のユーザに関するコメントに切り換わり、さらには、あるユーザ「１」から次のユーザ「２」へと切り換わる。
【００５８】
すなわち提供情報表示手段１２は、ディスプレイ１４にグループボタンを形成し（図３の“ｇ”）、該グループボタン“ｇ”が選択されたとき、このコメントエリアＣ内に、次のユーザのコメントを、これまでのユーザのコメントに切り換えて、表示する。また案内表示エリアＡには、端末装置（自車）２からコメント表示された他のユーザの位置（方角と距離）が表示される。
【００５９】
切り換えられた新たなコメントは、図５の例によれば、前述した他のユーザについてのニックネームとそのユーザからのメッセージＭとからなる。このニックネームは本図中、「しゅうちゃん」と表示されている。なお、メッセージＭの具体例は省略しているが、一例としてＭは「○○公園で休憩にしよう」等である。
【００６０】
コメントエリアＣでの、「施設」と「グループ」との間の切り換えは、上記のようにして簡単に行うことができるが、さらに、複数のランドマーク間の切り換えについても簡単に行うことができるようにしなければならない。また複数の施設間の切り換えについても簡単に行うことができるようにしなければならない。これについて次に説明する。
【００６１】
第１の態様では、提供情報表示手段１２は、キャラクタ例えば数字“１”→“２”→・・・の順番に従って対応する提供情報を順次ディスプレイ１４上において表示する。例えば、提供情報（“１”）に関して６秒間→提供情報（“２”）に関して６秒間→・・・といった具合である。これは完全自動化表示であって、ユーザの操作を必要としない。
【００６２】
第２の態様では、提供情報表示手段１２に連携する入力手段例えばキーボード（ＫＢ）１５を介して任意に入力されるキャラクタに一致する提供情報を選択的にディスプレイ１４上において表示する。
【００６３】
例えば、キャラクタ「３」がユーザによって選ばれたら、提供情報（“３”）のみをディスプレイ１４に表示する。これは上記第１の態様とは逆に、マニュアル選択型である。ユーザの使い勝手の良い方を選べば良いが、急を要するときは、マニュアル選択（上記第２の態様）となるであろう。
【００６４】
第３の態様では提供情報表示手段１２は、提供情報をコメントエリアＣにてスクロール表示させる。
【００６５】
ディスプレイ１４のサイズは元々小さいのが普通であるので、その中に表示されるコメントエリアＣのサイズはさらに小さくなる。したがってコメントエリアＣ内に一度に表示できる文字数は自ずと限られてくる。
【００６６】
そこで本発明においては、周知のスクロール表示を併用するのが好ましい。その例を図で示す。
【００６７】
図６はスクロールによるコメントエリアの表示例を示す図である。
【００６８】
本図では一度に取得した複数の情報のうち５件分の情報を、（１，１）→（２，２）→・・・→（５，５）→（１，１）→・・・といった上下スクロールにより表示する例を示している。ただし、図中スペースの都合で、（３，３）と（４，４）に該当する例示は省略している。
【００６９】
図６において、例えば項目「２」についてみると、一行に全文がおさまり切らない。このようなときは、さらに左スクロールを加える。
【００７０】
図７はコメントエリア内で一行におさまり切らないときのスクロール表示例を示す図であり、左スクロールを加えている。なお本図では、同一パターンを２度繰り返し表示する例を示している。
【００７１】
このような上／下、左／右スクロール表示と共に、強調表示もまた本発明では重要な役割を果たす。すなわち、提供情報群をディスプレイ１４上に全て表示するときは、選択された提供情報のみを強調表示するようにする。
【００７２】
例えば上記の図６に示すように、一度に５件分の情報を提示し、このうち、今項目“２”のみに着目しているならば、この“２”のマーク色を変える。あるいはこの“２”についての１行分のマーク色を変える。また図３においてもランドマーク“２”のみ、マーク色を変える。
【００７３】
同様のことは、上記の施設情報に限らず、前述したグループ情報についても言える。例えば図４において、車両の位置を示すランドマーク“２”に着目するならば、このランドマーク“２”のマーク色を変えるようにする。
【００７４】
【発明の効果】
以上説明したように本発明によれば、通信費用の抑制等を意図して、端末装置２が中継装置３から一度に取得した複数の情報群を、ユーザに対して使いやすいように整理した形で提供することができる。
【００７５】
この場合、図３や図６等に示すように、複数のランドマークを数字だけで区別した点にも注目すべきである。一般に、複数のランドマークを中継装置３から提供するときには、これらを区別するために、ロゴマークやアイコンを用いるのが普通である。
【００７６】
しかし本発明では、既述のとおり、そのようなデータ量の多いロゴマークやアイコンに代えて、単なるキャラクタ（数字、片仮名、英文字等）をランドマークに付すようにした。この結果、中継装置３から端末装置２への送信データ量はかなり節約されることになり、上述した通信費用の一層の抑制に寄与することになる。
【図面の簡単な説明】
【図１】本発明の前提となる情報提供システムの全体を示す図である。
【図２】本発明に基づく端末装置２の基本構成を示す図である。
【図３】ディスプレイ上における本発明に基づく一表示例を示す図である。
【図４】本発明に基づくランドマークの他の表示例を示す図である。
【図５】図３のコメントエリアが他のコメントエリアに切り換わる一例を示す図である。
【図６】スクロールによるコメントエリアの表示例を示す図である。
【図７】コメントエリア内で一行におさまり切らないときのスクロール表示例を示す図である。
【符号の説明】
１…情報提供システム
２…端末装置
３…中継装置
４…サーバ（ＤＢ）
１１…提供情報保持手段
１２…提供情報表示手段
１３…演算手段
１４…ディスプレイ
１５…入力手段（ＫＢ）
Ｌ…ランドマーク
Ｃ…コメントエリア
Ａ…案内表示エリア
【図１】
2004362136.tif 000003
【図２】
2004362136.tif 000004
【図３】
2004362136.tif 000005
【図４】
2004362136.tif 000006
【図５】
2004362136.tif 000007
【図６】
2004362136.tif 000008
【図７】
2004362136.tif 000009